(57)【要約】【課題】小便器の背後の所定位置にセンサを確実且つ簡単に取り付けることができる小便器ユニットを提供する。【解決手段】略鉛直に立設されたフレームと、前記縦フレームの前面に設けられる前面板と、前記前面板の前面に設けられる小便器と、前記小便器を取り付けるバックハンガーと、前記小便器の背後に設けられるマイクロ波センサと、を備え、前記バックハンガーと前記マイクロ波センサとは、いずれも前記縦フレームに対して取付部材を介して固定されることを特徴とする小便器ユニットが提供される。【選択図】図１
2009002115.tif 000002
【特許請求の範囲】
【請求項１】
略鉛直に立設された縦フレームと、
前記縦フレームの前面に設けられる前面板と、
前記前面板の前面に設けられる小便器と、
前記小便器を取り付けるバックハンガーと、
前記小便器の背後に設けられるマイクロ波センサと、
を備え、
前記バックハンガーと前記マイクロ波センサとは、いずれも前記縦フレームに対して取付部材を介して固定されることを特徴とする小便器ユニット。
【請求項２】
前記縦フレームに固定される第１の取付部材をさらに備え、
前記バックハンガーと前記マイクロ波センサとは、いずれも前記第１の取付部材に固定されることを特徴とする請求項１記載の小便器ユニット。
【請求項３】
前記縦フレームに固定される第１の取付部材と、
前記縦フレームに固定される第２の取付部材と、
をさらに備え、
前記バックハンガーは、前記第１の取付部材に固定され、
前記マイクロ波センサは、前記第２の取付部材に固定されることを特徴とする請求項１記載の小便器ユニット。
【請求項４】
前記縦フレームに固定される第１の取付部材と、
前記第１の取付部材に固定される第２の取付部材と、
をさらに備え、
前記バックハンガー及び前記マイクロ波センサのいずれか一方は、前記第１の取付部材に固定され、
前記バックハンガー及び前記マイクロ波センサのいずれか他方は、前記第２の取付部材に固定されることを特徴とする請求項１記載の小便器ユニット。
【請求項５】
前記小便器は、斜め上方に向けて開口したボウルを有することを特徴とする請求項１〜４のいずれか１つに記載の小便器ユニット。
【請求項６】
前記前面板は、開口を有し、
前記マイクロ波センサは、前記前記開口を貫通して前記小便器の背後に近接してなることを特徴とする請求項１〜５のいずれか１つに記載の小便器ユニット。
【請求項７】
前記マイクロ波センサは、前記小便器の背後から前記小便器のボウルを透過し斜め下方に向けて電波を放射することを特徴とする請求項１〜６のいずれか１つに記載の小便器ユニット。
【発明の詳細な説明】
【技術分野】
【０００１】
本発明は、小便器ユニットに関し、具体的には、人体などを検知するセンサを備えた小便器ユニットに関する。
【背景技術】
【０００２】
マイクロ波センサからのドップラー周波数信号などにより人体や尿流などを精度よく検知し、バルブの開閉をタイミングよく制御すると、洗浄水を無駄なく使用できる小便器装置が可能となる。つまり、非接触であるために衛生的であり、所定の量の水のみを最適なタイミングで流すことにより高い洗浄効果が得られるとともに、節水効果も得られる。    小便器の洗浄水配管に設けられたバルブの開閉制御をする小便器洗浄装置に関する技術開示例がある（特許文献１）。この技術開示例では、送信波と受信波との差分であるドップラー周波数信号に基づいてボール空間の液流状態を演算しバルブを制御している。
【特許文献１】特許第３７４０６９６号公報
【発明の開示】
【発明が解決しようとする課題】
【０００３】
センサを小便器の上部に内蔵すると、その部分が手前に張り出すために、使い勝手や美観の点で改善の余地がある。これに対して、センサを小便器の背後に設けると、小便器の上部の張り出しを抑制でき、使い勝手がよくなるとともに見栄えもすっきりとする。  
しかし、センサを小便器の背後に取り付ける場合、センサの取付位置や取付角度などがずれて検知範囲が変化してしまうと、所望の検知特性が得られないことがあり得る。一方、トイレの新設やリフォームなどに際して、小便器を設置する際に、施工現場でセンサの取付位置に関して細かい調節が必要となると、施工をしにくいという問題が生ずる。
【０００４】
本発明は、かかる課題の認識に基づいてなされたものであり、小便器の背後の所定位置にセンサを確実且つ簡単に取り付けることができる小便器ユニットを提供する。
【課題を解決するための手段】
【０００５】
本発明の一態様によれば、略鉛直に立設された縦フレームと、前記縦フレームの前面に設けられる前面板と、前記前面板の前面に設けられる小便器と、前記小便器を取り付けるバックハンガーと、前記小便器の背後に設けられるマイクロ波センサと、を備え、前記バックハンガーと前記マイクロ波センサとは、いずれも前記縦フレームに対して取付部材を介して固定されることを特徴とする小便器ユニットが提供される。
【発明の効果】
【０００６】
本発明によれば、小便器の背後の所定位置にセンサを確実且つ簡単に取り付けることができる小便器ユニットが提供される。
【発明を実施するための最良の形態】
【０００７】
以下、図面を参照しつつ、本発明の実施の形態について説明をする。なお、各図面中、同様の構成要素には同一の符号を付す。
【０００８】
図１は、本発明の第１の実施の形態に係る小便器ユニットが設置されたトイレ室を例示する模式図である。  
また、図２は、この小便器ユニットの内部構造を表す模式図である。  
また、図３は、この小便器ユニットの断面図である。
【０００９】
図１に例示したトイレ室の壁面９００には、ライニングユニット１００が設置され、このライニングユニット１００の前面に小便器２００と手すり３００が取り付けられている。小便器２００は、そのボウルの上方にスプレッダー２８０を有し、ここから洗浄水を吐水することにより水洗洗浄が可能とされている。  
ライニングユニット１００は、その内部に小便器２００に洗浄水を供給する給水管や、小便器２００からの排水を排出する排水管１４０（図３参照）、また、電磁弁や人体検知センサなどの接続のための電気配線や、臭気を吸引する脱臭管、さらにマイクロ波センサ４００（図２、図３参照）などを適宜収容している。ライニングユニット１００の前面板１１０は、これらの要素を収容するためにトイレ室の壁面９００よりも突出している。つまり、トイレ室の壁面９００は、ライニングユニット１００の上面板１２０の奥行きだけ後退している。
【００１０】
ライニングユニット１００は、トイレ室の床面に対して略垂直に立設された複数の縦フレーム１５０と、これら縦フレーム１５０に対して略垂直に延設され縦フレーム１５０を適宜接続する横フレーム１５２と、を有する。そして、縦フレーム１５０の前面に前面板１１０が固定されている。ライニングユニット１００の前面板１１０には、バックハンガー１７０が設けられ、小便器２００は、その背面がバックハンガー１７０に引っかけられることによりライニングユニット１００の前面板１１０に対して固定されている。  
図２は、ライニングユニット１００から前面板１１０を取り外して正面側（小便器２００の側）から眺めた模式図であり、一対の縦フレーム１５０の間に取付部材１６０が固定されていることが表されている。
【００１１】
図４は、図２の一部拡大図である。  
また、図５（ａ）は、取付部材１６０の正面図であり、図５（ｂ）は、図５（ａ）のＡ−Ａ線断面図である。  
図６は、バックハンガー１７０を表す模式図である。すなわち、図６（ａ）はバックハンガー１７０の正面図であり、図６（ｂ）は上面図であり、図６（ｃ）は側面図である。
【００１２】
また、図７は、本実施形態におけるバックハンガー１７０及びマイクロ波センサ４００の取付部の模式断面図である。
【００１３】
本実施形態における取付部材１６０は、金属板を加工することにより形成されている。取付部材１６０の両端には、縦フレーム１５０にネジなどで固定するための取付穴１６８（図５（ａ）参照）が設けられている。また、取付部材１６０の中央には、小便器２００のスプレッダー２８０への給水配管（図示せず）と、マイクロ波センサ４００と、を通過させるための切り欠き１６２が設けられている。そして、切り欠き１６２の下方には、マイクロ波センサ４００をネジなどにより取り付けるための取付穴１６６が設けられている。また、切り欠き１６２の左右には、バックハンガー１７０を固定するための取付穴１６４が設けられている。
【００１４】
バックハンガー１７０は、ライニングユニット１００の前面板１１０の板面から鉛直斜め上方に突出した引っかけ部１７２を有する取付部１７１と、この取付部１７１から裏面側（すなわち、ライニングユニット１００の内部に向けて）に延出するネジ１７４と、このネジ１７４に螺合されるナット１７６と、を有する。
【００１５】
ライニングユニット１００の前面板１１０には、開口１１２（図４参照）が設けられている。バックハンガー１７０の取付部１７１は、ライニングユニット１００の前面板１１０の前面により支持される。そして、バックハンガー１７０のネジ１７４が前面板１１０の開口１１２（図４参照）と、取付部材１６０の取付穴１６４（図５参照）を貫通し、取付部材１６０の裏側からナット１７６を螺合することにより、固定される。つまり、バックハンガー１７０は、ライニングユニット１００の前面板１１０に支持されつつ、取付部材１６０により固定される。このようにして、バックハンガー１７０を固定することにより、小便器２００の取付位置も一義的に決定される。つまり、小便器２００の取付位置は、取付部材１６０によって決定される。
【００１６】
一方、マイクロ波センサ４００は、取付部材１６０に固定されたセンサホルダー４１０に挿入され、固定される。センサホルダー４１０は、よって取付部材１６０の取付穴１６６（図５参照）にネジ４１２などを螺合することにより固定される。センサホルダー４１０に挿入した状態において、マイクロ波センサ４００は、ライニングユニット１００の前面板１１０に設けられた開口１１２を貫通し、小便器２００の背面に近接した位置に臨んでいる。前面板１１０は、例えば塩ビ鋼板などにより形成されるが、このように開口１１２を貫通させてマイクロ波センサ４００を前面に突出させることにより、マイクロ波センサ４００から放射される電波や、人体などからの反射波が前面板１１０により遮蔽されることを防止できる。
【００１７】
なお、センサホルダー４１０の内側には突起が設けられ、マイクロ波センサ４００をセンサホルダー４１０に挿入した状態において、センサホルダー４１０の突起がマイクロ波センサ４００に設けられた凹部と係合することにより、マイクロ波センサ４００が固定される。取り外す際には、マイクロ波センサ４００を後方に引っ張ることにより、センサホルダー４１０との係合が解除され、マイクロ波センサ４００をセンサホルダー４１０から引き抜くことができる。このようにすると、取付が容易で、取付位置も常に確実に規定でき、またさらに、マイクロ波センサ４００の点検や修理などの際にも、取り外しが容易となる。
【００１８】
以上説明したように、本実施形態においては、バックハンガー１７０とマイクロ波センサ４００は、いずれも縦フレーム１５０に対して相対的に固定されている。  
具体的には、マイクロ波センサ４００を取付部材１６０に固定したセンサホルダー４１０に挿入固定している。つまり、マイクロ波センサ４００の取付位置は、取付部材１６０により一義的に決定される。前述したように、バックハンガー１７０の取付位置を取付部材１６０により決定し、同時に、マイクロ波センサ４００の取付位置も取付部材１６０により決定することにより、小便器２００とマイクロ波センサ４００との相対的な位置関係を一義的に決定することができる。つまり、小便器ユニットをトイレ室に設置する現場の施工に際して、小便器２００とマイクロ波センサ４００との位置関係に調整が必要とされず、常に確実且つ容易に所定の位置関係を実現することができる。その結果として、安定した検知特性が再現性よく得られ、マイクロ波センサ４００を利用するメリットを常に最大限に発揮させることができる。
【００１９】
図８は、本実施形態の小便器ユニットにおけるマイクロ波センサ４００の検知範囲を例示する模式図である。  
また、図９は、第１の比較例に係る小便器ユニットにおけるマイクロ波センサの検知範囲を例示する模式図である。
【００２０】
まず、図９に表した比較例について説明すると、マイクロ波センサ４００は、小便器２００の背面において、略水平方向を向くように設けられている。すなわち、マイクロ波センサ４００から放射される電波ビーム４８０は、小便器２００のボウルを通過して略水平方向に伝搬する。このようにした場合、マイクロ波センサ４００の取付位置をやや低めに設定すれば、使用者８００が大人である場合（図９（ａ））も、子供である場合（図９（ｂ））も検知が可能である。しかし、使用者８００の尿流８２０を検知することが困難となる場合がある。すなわち、図９（ｂ）に表した具体例の場合には、使用者８００が子供である場合に、その尿流８２０が電波ビーム４８０の範囲を外れることがある。
【００２１】
使用者８００の尿流８２０を検知できると、例えば、尿の量を推定し、それに応じてスプレッダー２８０から流す洗浄水の量を調整できる。具体的には、尿の量が多い場合には洗浄水の量を多めにし、尿の量が少ない時には洗浄水の量を少なめにすることができる。このようにすれば、洗浄効果を維持しつつ、洗浄水の使用量を抑制して節水効果が得られる。
【００２２】
しかし、図９に表した比較例の場合には、図９（ｂ）に例示した如く、使用者８００の尿流８２０を検知することが困難な場合が生ずる。またさらに、尿流８２０をドップラー効果により検知するためには、尿流８２０の流れの方向が電波ビーム４８０の伝搬方向に対して垂直に近いことが望ましい。これは、ドップラー効果は、移動体が電波ビーム４８０の伝搬方向に沿って接近または離遠する場合も最も顕著に生ずるからである。これに対して、図９に表した比較例の場合、尿流８２０の流れの方向は、電波ビーム４８０の伝搬方向に対して垂直に近い方向である。つまり、移動体の移動方向が電波ビーム４８０の伝搬方向に対して略垂直であり、ドップラー効果が表れにくい配置関係とされている。この観点からも、図９に表した比較例には改善の余地がある。
【００２３】
これに対して、本実施形態においては、図８に表したように、小便器２００の背面の上方から斜め下方に向けて電波ビーム４８０が放射される。このようにすると、使用者８００が大人である場合（図８（ａ））でも、子供である場合（図８（ｂ））でも、使用者８００を確実に検知することができる。また、これらいずれの場合においても、使用者８００の尿流８２０も電波ビーム４８０の伝搬範囲内にある。そして、これらいずれの場合においても、尿流８２０の流れの方向は、電波ビーム４８０の伝搬方向に対して平行に近い。つまり、尿流８２０をドップラー効果により検知することが容易となり、尿の量に応じて洗浄水の量を制御することなども可能となる。
【００２４】
図１０は、第２の比較例を表す模式図である。  
すなわち、本比較例においては、図１〜図８に関して前述した本実施形態とほぼ同様の配置関係でマイクロ波センサ４００が小便器２００に対して取り付けられている。すなわち、小便器２００のスプレッダー２８０の背後に取付金具４３０が固定され、この取付金具４３０にセンサホルダー４１０が固定されている。図示しないマイクロ波センサ４００は、このセンサホルダー４１０に挿入され固定される。
【００２５】
図１０は、このような比較例の小便器２００が梱包された状態を表す。本変型例においては、センサホルダー４１０は、小便器２００の裏面側に突出して固定されているため、センサホルダー４１０が梱包筺７００などに当接すると変形や破損が生じやすい。このため、小便器２００を工場から出荷される際には、梱包筺７００に収容し、この際に、嵩上げ緩衝材７１０を設けて保護する必要がある。しかし、この場合でも、小便器２００を梱包筺７００から取り出した後、現場に設置する施工工程において、裏面側に突出したセンサホルダー４１０をライニングユニット１００などに当接させて変形や破損が生ずることがあり得る。センサホルダー４１０に変形や破損が生ずると、マイクロ波センサ４００を挿入できなかったり、またマイクロ波センサ４００の向きが変化してしまい、所定の検知特性が得られない。
【００２６】
これに対して、図１〜図８に関して前述した実施形態によれば、センサホルダー４１０を小便器２００に対して固定せず、取付部材１６０に対して固定する。また一方、バックハンガー１７０も取付部材１６０に対して固定することにより、小便器２００とマイクロ波センサ４００との位置関係を一義的に決定することができる。現場の施工に際して、センサホルダー４１０の変形や破損が生ずるおそれもなく、常に所定の方向にマイクロ波センサ４００を取り付けることができる。その結果として、安定した検知特性が再現性よく得られ、マイクロ波センサ４００を利用するメリットを常に最大限に発揮させることができる。
【００２７】
図１１は、第３の比較例を表す模式図である。  
本比較例においては、マイクロ波センサ４００は、小便器２００の上部に内蔵されている。そして、マイクロ波センサ４００から放射された電波ビーム４８０は、斜め下方に
向けて伝搬する。本比較例の場合には、図８に関して前述した実施形態と同様に、使用者８００やその尿流８２０を比較的安定的に検知することが可能である。
【００２８】
しかし、マイクロ波センサ４００を小便器２００の上部に内蔵するためには、小便器２００の上部を使用者８００からみて手前側に張り出させる必要がある。ところが、小便器２００の上部を手前側に張り出させると、使用者８００が自分の手元を見にくくなる。  
図１２（ａ）は本実施形態の小便器２００を鉛直上方から眺めた模式図であり、図１２（ｂ）は第３比較例の小便器２００を上方から眺めた模式図である。  
第３比較例の場合、図１２（ｂ）に表したように、小便器２００の上面２４０が使用者からみて手前側に延出し、使用者の視線を遮ることがある。すなわち、使用者８００の目の直下には小便器２００の上面２４０が延在し、使用者８００はボウル面２３０ばかりでなく、自分の手元を見ることも容易ではない。
【００２９】
これに対して、本実施形態によれば、図１２（ａ）に表したように、小便器２００の上面２４０はライニングユニット１００の前面板１１０の方向に後退しているので、鉛直上方から眺めてもボウル面２３０のほぼ全体が見える。そして、図９からも分かるように、使用者８００は、ボウル面２３０のほぼ全体を見ることができる。その結果として、使用者８００は開放感が与えられ、手元を確認しつつ、尿の色や状態まで確実且つ容易に確認できる。
【００３０】
なお、小便器２００の上面を後退させた場合、従来の赤外線センサを小便器２００の上部に内蔵させることが困難となる。これに対して、図本実施形態においては、小便器２００の裏側のライニングユニット１００の中にマイクロ波センサ４００を設けている。マイクロ波は陶器を透過するので、小便器２００の後ろ側に配置することができる。このようにして、小便器２００の上面２４０を顕著に後退させボウル面を斜め上方に開放させた小便器２００において、人体や尿流を検知し洗浄水を自動的に流すことが可能となる。
【００３１】
図１３は、本実施形態における小便器２００と手すり３００を例示する３面図である。
【００３２】
本実施形態の小便器２００は、斜め上方に向けて開口したボウル面２３０を有する。すなわち、小便器２００のボウル開口の下端２２０は使用者からみて手前側（矢印Ａの方向）にあり、一方、ボウル開口の上端２１０は使用者からみて後方（矢印Ａとは反対の方向）に後退している。その結果、小便器２００の上面２４０の奥行き（矢印Ａの方向の長さ）は、小便器２００の奥行き（ライニングユニット１００の前面板１１０から小便器２００のボウル開口の下端２２０までの長さ）に比べて顕著に小さい。その結果、後に詳述するように、小便器２００を上方から眺めた時に、そのボウル面２３０のほぼ全体を見ることができる。
【００３３】
このように、小便器２００のボウル面２３０を斜め上方に向けて開口すると、使用者に開放感を与え、見栄えがよくすっきりとしたデザインになる。さらに、使用者に与える圧迫感を大幅に減らすことができる。つまり、使用者は従来よりも小便器２００に近づきやすくなる。その結果として、尿をボウル面２３０に確実に落下させることができ、小便器２００の手前の床面に尿を落とすことが抑制される。つまり、すっきりとしたデザインで見栄えのよいトイレ室が、さらに清潔に使用されることによって、使用者に快適な使用感を与えるという重畳的な効果が得られる。
【００３４】
また、小便器２００の上面２４０を後退させ、ボウル面２３０を開放することにより、清掃も容易となり、その結果としてさらに清潔な状態を維持することができる。すなわち、水垢や汚れなどの少ない清潔な小便器２００を維持できる。
【００３５】
一方、本実施形態の手すり３００は、ライニングユニット１００の前面板１１０に対して略垂直に前方（矢印Ａの方向）に突出した一対の基部３１０と、基部３１０の先端から斜め後方にそれぞれ延びた一対の傾斜部３２０と、略水平方向に延在しこれら傾斜部３２０の先端をつなぐ水平部３３０と、を有する。本具体例においては、水平部３３０は、基部３１０の先端よりも後退（矢印Ａとは反対の方向）した位置に設けられている。つまり、傾斜部３２０は、水平部３３０に向かって後退する方向に傾斜している。
【００３６】
そして、本実施形態においては、小便器２００の上面２４０よりも手すり３００の水平部３３０の方が高い位置に設けられている。またさらに、ライニングユニット１００の上面板１２０は、手すり３００の水平部３３０よりも低い位置に設けられている。
【００３７】
小便器２００の上面２４０よりも手すり３００の水平部３３０を高い位置に設けることにより、手すりを利用する使用者の圧迫感が大幅に低減する。またさらに、ライニングユニット１００の上面板１２０を手すり３００の水平部３３０よりも低い位置に設けることにより、使用者に開放感を与え圧迫感はさらに低減する。  
またさらに、手すり３００の傾斜部３２０を小便器２００のボウル面２３０の開口端（リムライン）のうちの左右の側辺部２５０と略同一の傾斜とすることにより、見栄えがよくすっきりとした外観が得られる。つまり、小便器２００のリムラインに対して略平行に傾斜した傾斜部３２０によって小便器２００の左右を取り囲むことにより、使用者に安心感を与え、小便器２００に近づきやすくなる。
【００３８】
そして、本実施形態によれば、このような小便器２００の背後にマイクロ波センサ４００を確実且つ容易に取り付けることができる。その結果として、小便器２００のすっきりとした外観を維持しつつ、人体や尿流を確実に検知し、衛生的で節水効果も高い小便器ユニットを実現できる。
【００３９】
なお、本発明は、図１〜図１３に関して前述した小便器２００には限定されない。  
図１４は、本発明において用いることができる小便器２００及び手すり３００の他の具体例を表す模式図である。  
本具体例においては、便器２００は、そのボウル開口の上端２１０が使用者の方向にやや張り出している。本発明においては、このような小便器２００を用いることも可能である。
【００４０】
次に、本発明の第２の実施の形態について説明する。  
図１５は、本発明の第２の実施の形態にかかる小便器ユニットの一部を正面側（すなわち、小便器の側）から眺めた模式図である。すなわち、図１５は、図４に対応する部分を表した模式図である。  
また、図１６は、マイクロ波センサ４００の取付部を表す模式断面図である。
【００４１】
本実施形態においては、前面板１１０の裏側において、一対の縦フレーム１５０の間に第１の取付部材１８６と、第２の取付部材１８０と、がそれぞれ固定されている。
【００４２】
すなわち、第１の取付部材１８６の両端には、取付穴１８７が設けられ、ネジなどによって縦フレーム１５０に固定されている。また、第２の取付部材１８６には切り欠き１８８が設けられ、スプレッダー２８０への給水配管が配設可能とされている。そして、第２の取付部材１８６には、バックハンガー１７０が固定される。
【００４３】
一方、第２の取付部材１８０の両端には、取付穴１８２が設けられ、ネジなどによって縦フレーム１５０に固定されている。そして、第１の取付部材１８０には、センサホルダー４１０が固定され、マイクロ波センサ４００が挿入固定される。マイクロ波センサ４００は、固定された状態において、第１実施形態と同様に、前面板１１０に設けられた開口１１２を貫通して前方に突出し、小便器２００の背後から斜め下方に向けて電波ビーム４８０を放射する。
【００４４】
すなわち、本実施形態においても、バックハンガー１７０とマイクロ波センサ４００は、いずれも縦フレーム１５０に対して相対的に固定されている。  
具体的には、本実施形態においては、マイクロ波センサ４００の取付位置は、第２の取付部材１８０により決定され、小便器２００の取付位置は、第１の取付部材１８６により決定される。従って、これら第１の取付部材１８６と第２の取付部材１８０との位置関係を規定することにより、小便器２００とマイクロ波センサ４００との位置関係を一義的に規定することができる。このためには、例えば、第１及び第２の取付部材１８６、１８０を縦フレーム１５０に固定するために縦フレーム１５０に設ける取付穴の位置を規定するだけでよい。ライニングユニット１００を設けた小便器ユニットは、設置する現場に応じてそれぞれの部品を設計し、縦フレーム１５０や前面板１１０などの部品を工場において揃える場合が多い。従って、第１及び第２の取付部材１８６、１８０を取り付けるための取付穴を縦フレーム１５０に予め工場で形成することにより、小便器２００とマイクロ波センサ４００との位置関係を一義的に規定することができる。つまり、施工現場においては、これらの部品を所定の手順で組み立てるだけで、マイクロ波センサ４００の取付を確実且つ容易に実施できる。
【００４５】
一方、施工現場において、縦フレーム１５０を形成してライニングユニット１００を組み立てる場合には、例えば、第１及び第２の取付部材１８６、１８０を取り付けるための取付穴の寸法データを提供したり、あるいは、縦フレーム１５０に取付穴を形成するための型紙を提供することができる。このようにすれば、施工現場において縦フレーム１５０の適切な位置に取付穴を形成し、第１及び第２の取付部材１８６、１８０を固定することにより、マイクロ波センサ４００の取付位置を正確に再現することが可能となる。
【００４６】
次に、本発明の第３の実施の形態について説明する。  
図１７は、本発明の第３の実施の形態にかかる小便器ユニットの一部を正面側（すなわち、小便器の側）から眺めた模式図である。すなわち、図１７は、図４に対応する部分を表した模式図である。  
また、図１８は、マイクロ波センサ４００の取付部を表す模式断面図である。
【００４７】
本実施形態においては、前面板１１０の裏側において、一対の縦フレーム１５０の間に、第１の取付部材１８６が固定されている。すなわち、第１の取付部材１８６には取付穴１８７が設けられ、ネジなどによって縦フレーム１５０に固定されている。また、第１の取付部材１８６には切り欠き１８８が設けられ、スプレッダー２８０への給水配管が配設可能とされている。またさらに、第１の取付部材１８６には、バックハンガー１７０が固定される。
【００４８】
そして、本実施形態においては、第１の取付部材１８６に、第２の取付部材１９０が固定されている。第２の取付部材１９０は、略Ｕ字状の板状体であり、その両端に取付穴が形成されている。そして、この取付穴は、第１の取付部材１８６とともに、バックハンガー１７０のネジ１７４により貫通され、ナット１７６により締め付けられる。つまり、第２の取付部材１９０は、バックハンガー１７０とともに第１の取付部材１８６に対して固定される。第２の取付部材１９０の中央付近は、小便器２００のスプレッダー２８０の配管を避けるように、前面板１１０の開口１１２の下方に延在している。そして、第２の取付部材１９０の中央付近にセンサホルダー４１０が固定され、マイクロ波センサ４００が挿入固定される。
【００４９】
以上説明したように、本実施形態においても、バックハンガー１７０とマイクロ波センサ４００は、いずれも縦フレーム１５０に対して相対的に固定されている。    
具体的には、本実施形態においては、バックハンガー１７０とマイクロ波センサ４００とがいずれも第１の取付部材１８６に対して固定される。つまり、小便器２００とマイクロ波センサ４００との位置関係が一義的に決定される。従って、施工現場においては、これらの部品を所定の手順で組み立てるだけで、マイクロ波センサ４００の取付を確実且つ容易に実施できる。
【００５０】
なお、図１７及び図１８に表した具体例においては、第２の取付部材１９０を第１の取付部材１８６のバックハンガー１７０の取付部において固定したが、本発明はこれには限定されない。これ以外にも、例えば、第２の取付部材１９０を第１の取付部材１８６の両端の取付穴１８７において固定してもよく、あるいは、第１の取付部材１８６に新たな固定部を設け、第２の取付部材１９０をこの固定部に固定してもよい。
【００５１】
また、図１７及び図１８に表した具体例においては、縦フレームに固定した第１の取付部材にバックハンガー１７０と第２の取付部材とを取り付けて、第２の取付部材にマイクロ波センサ４００を取り付けたが、本発明はこれには限定されない。すなわち、これとは逆に、縦フレームに固定した第１の取付部材にマイクロ波センサ４００と第２の取付部材とを取り付けて、第２の取付部材にバックハンガー１７０を取り付けてもよい。
【００５２】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、ライニングユニット、小便器、取付部材、バックハンガー、センサホルダー、マイクロ波センサ、手すりなどの形状、構造、寸法、数、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００５３】
【図１】本発明の第１の実施の形態に係る小便器ユニットが設置されたトイレ室を例示する模式図である。
【図２】小便器ユニットの内部構造を表す模式図である。
【図３】小便器ユニットの断面図である。
【図４】図２の一部拡大図である。
【図５】（ａ）は、取付部材１６０の正面図であり、図５（ｂ）は、図５（ａ）のＡ−Ａ線断面図である。
【図６】バックハンガー１７０を表す模式図である。
【図７】バックハンガー１７０及びマイクロ波センサ４００の取付部の模式断面図である。
【図８】小便器ユニットにおけるマイクロ波センサ４００の検知範囲を例示する模式図である。
【図９】第１の比較例に係る小便器ユニットにおけるマイクロ波センサの検知範囲を例示する模式図である。
【図１０】第２の比較例を表す模式図である。
【図１１】第３の比較例を表す模式図である。
【図１２】（ａ）は本実施形態の小便器２００を鉛直上方から眺めた模式図であり、図１２（ｂ）は第３比較例の小便器２００を上方から眺めた模式図である。
【図１３】本実施形態における小便器２００と手すり３００を例示する３面図である。
【図１４】本発明において用いることができる小便器２００及び手すり３００の他の具体例を表す模式図である。
【図１５】本発明の第２の実施の形態にかかる小便器ユニットの一部を正面側（すなわち、小便器の側）から眺めた模式図である。
【図１６】マイクロ波センサ４００の取付部を表す模式断面図である。
【図１７】本発明の第３の実施の形態にかかる小便器ユニットの一部を正面側（すなわち、小便器の側）から眺めた模式図である。
【図１８】マイクロ波センサ４００の取付部を表す模式断面図である。
【符号の説明】
【００５４】
１００ ライニングユニット、１１０ 前面板、１１２ 開口、１２０ 上面、１４０ 排水管、１５０ 縦フレーム、１５２ 横フレーム、１６０ 取付部材、１６２ 切り欠き、１６４ 取付穴、１６６ 取付穴、１６８ 取付穴、１７０ バックハンガー、１７１ 取付部、１７２ 突出部、１７４ ネジ、１７６ ナット、１８０ 取付部材、１８２ 取付穴、１８６ 取付部材、１８７ 取付穴、１８８ 切り欠き、１９０ 取付部材、２００ 小便器、２１０ 上端、２２０ 下端、２３０ ボウル面、２４０ 上面、２５０ 側辺部、２８０ スプレッダー、３１０ 基部、３２０ 傾斜部、３３０ 水平部、４００ マイクロ波センサ、４１０ センサホルダー、４１２ ネジ、４３０ 取付金具、４８０ 電波ビーム、７００ 梱包筺、７１０ 緩衝材、８００ 使用者、８２０ 尿流、９００ 壁面
【図１】
2009002115.tif 000003
【図２】
2009002115.tif 000004
【図３】
2009002115.tif 000005
【図４】
2009002115.tif 000006
【図５】
2009002115.tif 000007
【図６】
2009002115.tif 000008
【図７】
2009002115.tif 000009
【図８】
2009002115.tif 000010
【図９】
2009002115.tif 000011
【図１０】
2009002115.tif 000012
【図１１】
2009002115.tif 000013
【図１２】
2009002115.tif 000014
【図１３】
2009002115.tif 000015
【図１４】
2009002115.tif 000016
【図１５】
2009002115.tif 000017
【図１６】
2009002115.tif 000018
【図１７】
2009002115.tif 000019
【図１８】
2009002115.tif 000020